(57)【要約】【課題】ウエスト開口側へ移動する排泄物を収容、保持し、かつ、排泄物が着用者の肌に触れるのを抑制することのできる開放型の使い捨て着用物品の提供。【解決手段】開放型の使い捨て着用物品（１０）の第１ウエスト域（１２）は、肌当接面側に位置して横方向（Ｘ）へ延びるウエスト当接域（３１）と、前記ウエスト当接域と厚さ方向（Ｚ）において対向し、前記非肌当接面側に位置してクロッチ域（１３）側へ開口可能なポケット（２０）とを有する。前記ポケットは、ポケット外側域（２３）と、ポケット内側域（２２）とを有し、前記ポケット内側域及び前記ポケット外側域のそれぞれは、前記ポケットの開口の前記横方向の両側において前記ウエスト当接域に固定される両側固定部（２６）を有する。【選択図】図５
2019084414.tif 000002
【特許請求の範囲】
【請求項１】
縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、
前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、
前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、
前記ポケット内側域及び前記ポケット外側域のそれぞれは、前記ポケットの開口の前記横方向の両側において前記ウエスト当接域に固定される両側固定部を有し、
少なくとも前記ポケット内側域及び前記ポケット外側域の一方は、弾性的に伸縮可能であり、前記ウエスト当接域の前記横方向における収縮率が、前記ポケット内側域及び前記ポケット外側域のそれぞれの前記横方向における収縮率よりも高いことを特徴とする前記着用物品。
【請求項２】
縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、
前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、
前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、
前記ポケット内側域及び前記ポケット外側域のそれぞれは、前記ポケットの開口の前記横方向の両側において前記ウエスト当接域に固定される両側固定部を有し、
前記第１及び第２ウエスト域と前記クロッチ域とはシャーシによって形成され、前記ウエスト当接域及び前記ポケット内外側域は、前記シャーシに接合されたポケット形成パネルによって形成されることを特徴とする前記着用物品。
【請求項３】
前記ポケットは、前記ポケット内側域の両側部及び前記ポケット外側域の両側部から形成され、かつ、前記横方向の内側へ折り込まれたポケット両側域をさらに有する請求項１又は２に記載の着用物品。
【請求項４】
前記クロッチ域から前記第１及び第２ウエスト域へ延びる吸収体をさらに含み、前記ポケットは、前記吸収体の前記縦方向における延長線上に位置する請求項１〜３のいずれかに記載の着用物品。
【請求項５】
前記ウエスト当接域は、前記横方向へ弾性的に伸縮可能である請求項１〜４のいずれかに記載の着用物品。
【請求項６】
前記ウエスト当接域は、前記一対のファスナ部の止着手段の間であって、前記横方向において前記止着手段と重なって位置する請求項１〜５のいずれかに記載の着用物品。
【請求項７】
前記両側固定部は、前記横方向において前記ファスナ部と重なって位置する請求項１〜６のいずれかに記載の着用物品。
【請求項８】
前記ポケット形成パネルは、前記シャーシの前記縦方向における端縁の内側に位置する請求項２に記載の着用物品。
【請求項９】
前記シャーシは、前記ポケットが接合される接合域を有し、前記ウエスト当接域の前記横方向における収縮率は、前記接合域の前記横方向における収縮率よりも高い請求項２又は８に記載の着用物品。
【請求項１０】
前記第２ウエスト域は、前記ファスナ部が係脱可能であって前記横方向に弾性的に伸縮可能なターゲット域を有し、
前記ウエスト当接域の前記横方向における収縮率は、前記ターゲット域の前記横方向における収縮率よりも高い請求項１〜９のいずれかに記載の着用物品。
【発明の詳細な説明】
【技術分野】
【０００１】
本発明は、開放型の使い捨て着用物品に関する。
【背景技術】
【０００２】
従来、前ウエスト域と、後ウエスト域と、クロッチ域と、後ウエスト域の両側部に位置するファスナ部とを有する、開放型の使い捨て着用物品は公知である。例えば、特許文献１には、後ウエスト域の両側縁部から横方向の外側へ延びるファスナ部を備えており、ファスナ部を前ウエスト域の外面に係止することによって、着用者の身体に着用される開放型の使い捨て着用物品が開示されている。
【先行技術文献】
【特許文献】
【０００３】
【特許文献１】特開平１０−１３７２９２号公報
【発明の概要】
【発明が解決しようとする課題】
【０００４】
特許文献１に開示された使い捨て着用物品では、ファスナ部によって前後ウエスト域の身体に対するフィット性を高めて、排泄物の漏れを防止することができる。
【０００５】
しかし、特許文献１の着用物品では、軟便等の流動性のある排泄物が、着用物品の肌当接面上で拡散してウエスト開口側へ移動した場合に、これを収容、保持することができず、流動した排泄物によって着用者の背面が汚れるおそれがある。
【０００６】
本発明の課題は、従来の着用物品の改良であって、ウエスト開口側へ移動する排泄物を収容、保持し、かつ、排泄物が着用者の肌に触れるのを抑制することのできる開放型の使い捨て着用物品の提供にある。
【課題を解決するための手段】
【０００７】
前記課題を解決するために、本発明は、縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品に関する。
【０００８】
本願の第１発明は、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット内側域及び前記ポケット外側域のそれぞれは、前記ポケットの開口の前記横方向の両側において前記ウエスト当接域に固定される両側固定部を有し、少なくとも前記ポケット内側域及び前記ポケット外側域の一方は、弾性的に伸縮可能であり、前記ウエスト当接域の前記横方向における収縮率が、前記ポケット内側域及び前記ポケット外側域のそれぞれの前記横方向における収縮率よりも高いことを特徴とする。
本願の第２発明は、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット内側域及び前記ポケット外側域のそれぞれは、前記ポケットの開口の前記横方向の両側において前記ウエスト当接域に固定される両側固定部を有し、前記第１及び第２ウエスト域と前記クロッチ域とはシャーシによって形成され、前記ウエスト当接域及び前記ポケット内外側域は、前記シャーシに接合されたポケット形成パネルによって形成されることを特徴とする。
【発明の効果】
【０００９】
本発明に係る開放型の使い捨て着用物品は、第１ウエスト域において、肌当接面側に位置するウエスト当接域と、ウエスト当接域と厚さ方向において対向し、非肌当接面側に位置してクロッチ域側へ開口可能なポケットを有しているので、ウエスト開口側へ移動する排泄物をポケット内に流入させて収容、保持することができ、排泄物が肌に触れるのを抑制することができる。
【図面の簡単な説明】
【００１０】
【図１】本発明に係る開放型の使い捨て着用物品の一例である開放型の使い捨ておむつの着用状態を示す側面図。
【図２】各弾性体をおむつの縦方向及び横方向に伸長させた状態における、おむつの展開図。
【図３】おむつの分解斜視図。
【図４】図１に示すおむつの後ウエスト域を上方から視た図。
【図５】おむつの着用状態における後ウエスト域の斜視図。
【図６】図１に示すＶＩ−ＶＩ線に沿う模式的断面図。
【図７】図５に示すＶＩＩ−ＶＩＩ線に沿う模式的断面図。
【図８】ポケット形成パネルの分解斜視図。
【図９】（ａ）ポケット形成パネルの一部破断展開平面図。（ｂ）ポケット形成パネルの折り畳み行程を示す図。（ｃ）ポケット形成パネルが第１及び第２折曲ラインに沿って折曲された状態を示す図。（ｄ）ポケット形成パネルが第３及び第４折曲ラインによって折曲された状態を示す図。
【図１０】図４に示すＸ−Ｘ線に沿う模式的断面図。
【発明を実施するための形態】
【００１１】
下記の実施の形態は、本発明の一例である図１〜１０に示す開放型の使い捨て着用物品に関し、発明の不可欠な構成ばかりではなく、選択的及び好ましい構成を含む。図２において、後述する各弾性体は、その収縮力に抗して、各弾性体が取り付けられた部材に生じたギャザーが自然な視覚によって実質的に無くなっているように見える程度にまで伸長された状態にある。
【００１２】
図１及び図２を参照すると、本発明の使い捨て着用物品の一例として示す開放型の使い捨ておむつ１０は、縦方向Ｙと、横方向Ｘと、それらに直交する厚さ方向Ｚとを有し、縦方向Ｙに沿って延び、おむつ１０の横方向Ｘの寸法を２等分する縦軸Ｐと、横方向Ｘへ沿って延び、おむつ１０の縦方向Ｙの寸法を２等分する横軸Ｑとを有し、縦軸Ｐに関してほぼ対称に形成されている。なお、本明細書において、「おむつ１０の平面視において互いに重なる」とは、厚さ方向Ｚにおいて互いに重なることを意味する。おむつ１０は、肌当接面及びそれに対向する非肌当接面と、前ウエスト域（第１又は第２ウエスト域）１１と、後ウエスト域（第１又は第２ウエスト域）１２と、前後ウエスト域１１，１２の間に位置するクロッチ域１３とを有し、後ウエスト域１２には、クロッチ域１３へ向かって開口するポケット２０が形成されている。おむつ１０は、ベース形態をなすシャーシ１４と、シャーシ１４の後ウエスト域１２の両側部に備えられた一対のファスナ部１６と、シャーシ１４に取り付けられ、ポケット２０を形成するポケット形成パネル４０とを含む。
【００１３】
＜シャーシ＞
シャーシ１４は、横方向Ｘへ延びて縦方向Ｙにおいて互いに離間する前端縁１４ａ及び後端縁１４ｂと、縦方向Ｙへ延びて横方向Ｘにおいて互いに離間する両側縁１４ｃ，１４ｄとを有しており、クロッチ域１３を画定する両側縁部が凹曲状を有している。シャーシ１４は、肌当接面側に位置する透液性の内面シート５１と、非肌当接面側に位置する不透液性の外面シート５２と、内外面シート５１，５２の間に位置する吸収体５３と、吸収体５３と外面シート５２との間に位置する難透液性又は不透液性の防漏シート５４とを含む。内面シート５１の肌当接面側には、横方向Ｘに離間し、縦方向Ｙへ延びる一対のバリアカフシート５５が配置されている。
【００１４】
内面シート５１は、透液性を有する繊維不織布から形成され、吸収体５３の肌当接面の全域を覆っている。内面シート５１としては、例えば、質量が約１５〜３５ｇ／ｍ２の親水性スパンボンド繊維不織布、ポイントボンド繊維不織布又はエアスルー不織布等の各種公知の繊維不織布を用いることができる。
【００１５】
外面シート５２は、シャーシ１４の外形を形成しており、不透液性の繊維不織布、プラスチックフィルム又はそれらのラミネートシートから形成される。外面シート５２が繊維不織布から形成される場合には、例えば、質量約１０〜３０ｇ／ｍ２のスパンボンド・メルトブローン・スパンボンド（ＳＭＳ）繊維不織布又はスパンボンド繊維不織布を用いることができる。
【００１６】
吸収体５３は、横方向Ｘへ延びる前端縁部５３ａ及び後端縁部５３ｂと、縦方向Ｙへ延びる両側縁部５３ｃとを有し、吸液性の芯材と、芯材を覆うティッシュペーパ等の液拡散性の被覆シートとによって形成される。芯材としては、木材フラッフパルプ、高吸収性ポリマー粒子、またはこれらの混合物を用いることができる。芯材と被覆シートとは、図示しないホットメルト接着剤等の公知の接合手段を用いて互いに接合することができる。吸収体５３は、少なくともクロッチ域１３に位置していればよく、本実施形態では、クロッチ域１３から前後ウエスト域１１，１２へと延出している。後ウエスト域１２へ延出する吸収体５３の一部は、ポケット２０と平面視において互いに重なっていることが好ましい。
【００１７】
前ウエスト域１１において、外面シート５２の肌当接面側であって、吸収体５３の縦方向Ｙ外側には、前ウエスト弾性体５９が取り付けられる。前ウエスト弾性体５９は、外面シート５２と内面シート５１との間において、図示しないホットメルト接着剤等の公知の接合手段によって接合される。前ウエスト弾性体５９は、シャーシ１４の両側縁１４ｃ，１４ｄ間を横方向Ｘへ延びている。前ウエスト弾性体５９としては、横方向Ｘへ伸長状態で収縮可能に取り付けられた複数本のストリング状またはストランド状の弾性体や、エラストマー繊維を含む弾性伸縮性の繊維不織布シート等を用いることができる。
【００１８】
防漏シート５４は、吸収体５３の非肌当接面の全体を覆っており、吸収体５３の被覆シートと外面シート５２との間において、図示しないホットメルト接着剤等の公知の接合手段によって接合することができる。防漏シート５４は、難透液性、好ましくは、不透液性かつ通気性のプラスチックフィルムを用いることができ、吸収体５３で吸収された体液がおむつ１０の外側に漏れるのを防止することができる。
【００１９】
外面シート５２の肌当接面側であって、吸収体５３の横方向Ｘ外側には、レッグ弾性体５７が取り付けられる。レッグ弾性体５７は、外面シート５２とバリアカフシート５５との間において、図示しないホットメルト接着剤等の公知の接合手段によって接合される。レッグ弾性体５７は、クロッチ域１３から前後ウエスト域１１，１２まで縦方向Ｙへ延びている。レッグ弾性体５７としては、縦方向Ｙへ伸長状態で収縮可能に取り付けられた複数本のストリング状またはストランド状の弾性体や、エラストマー繊維を含む弾性伸縮性の繊維不織布シート等を用いることができる。レッグ弾性体５７によって、吸収体５３の横方向Ｘの両外側域にはガスケット機能を有する弾性サイドフラップが形成される。
【００２０】
バリアカフシート５５は、例えば、質量が約１０〜３０ｇ／ｍ２の疎水性のＳＭＳ繊維不織布またはスパンボンド繊維不織布を用いることができる。バリアカフシート５５は、内面シート５１の肌当接面に固定された、縦方向Ｙにおいて離間対向する前固定部８１及び後固定部８２と、縦方向Ｙへ延びる固定側部（近位部）８３と、固定側部８３から横方向Ｘの内側に位置するスリーブ状の自由側縁部（遠位縁部）８４とを有する。自由側縁部８４内には、ストリング状又はストランド状の弾性部材からなり、縦方向Ｙへ延びるカフ弾性体５８が伸長状態で収縮可能に取り付けられる。着用状態において、カフ弾性体５８が収縮することによって、自由側縁部８４が内面シート５１から着用者の身体側へ離間し、体液の横漏れを防止するための一対の防漏カフが形成される。
【００２１】
既述の前ウエスト弾性体５９によって、シャーシ１４の前ウエスト域１１には、横方向Ｘに弾性的に伸縮可能な前ウエスト弾性域８５が形成される。また、シャーシ１４の後ウエスト域１２には、横方向Ｘに弾性的に伸縮可能なウエスト当接域３１を有するポケット形成パネル４０が取り付けられる。シャーシ１４の前後ウエスト域１１，１２は、ファスナ部１６に配置された止着手段６３によって、連結及び分離可能に構成されている。
【００２２】
＜ファスナ部＞
図１〜３を参照すると、ファスナ部１６は、シャーシ１４の側部に固定される固定部６１と、固定部６１から横方向Ｘの外側に延出する自由部６２とを有し、固定部６１及び自由部６２を形成するタブシート６４と、タブシート６４の自由部６２に位置する止着手段６３とを含む。固定部６１は、外面シート５２とバリアカフシート５５との間に位置し、ホットメルト接着剤等の公知の接合手段を用いて各シート５２，５５に接合される。
【００２３】
タブシート６４は、例えば、質量が約４０〜６０ｇ／ｍ２のスパンボンド繊維不織布、ＳＭＳ繊維不織布又はそれらのラミネートシート等を用いることができる。止着手段６３は、タブシート６４に接合される基材シートと、基材シートから起立する複数のフック要素とを含み、止着手段６３の材料としては、例えば、ポリエチレン、ポリプロピレン等のオレフィン系の材料や、ポリエステル系の材料等を用いることができる。タブシート６４と止着手段６３との固定及びタブシート６４と各シート間における接合には、図示しないホットメルト接着剤等の公知の接合手段を用いることができる。止着手段６３は、前ウエスト域１１の非肌当接面側に位置するループ要素を形成するシート部材（本実施形態においては、外面シート５２）と係脱可能に係合する。
【００２４】
＜ポケット＞
図１，図４〜図７を参照すると、おむつ１０は、後ウエスト域１２のウエスト開口１９側において着用者の身体に当接するウエスト当接域３１を有する。ウエスト当接域３１は、後ウエスト域１２の横方向Ｘのほぼ中央に位置する中央部３２を有し、中央部３２は、内端部３２ａと外端部３２ｂとを有する。また、おむつ１０は、厚さ方向Ｚ（着用状態における前後方向）において、ウエスト当接域３１と対向するように位置するポケット２０を有する。ポケット２０は、縦軸Ｐを中心として横方向Ｘへ広がる所定面積域にわたって形成されており、下方へ向かって（クロッチ域１３側へ向かって）開口可能である。ポケット２０は、後ウエスト域１２のウエスト開口１９に近接して位置する。
【００２５】
ポケット２０は、中央部３２と厚さ方向Ｚにおいて対向し、クロッチ域１３側からウエスト開口１９側へ延びるポケット外側域２３と、ポケット外側域２３とウエスト当接域３１とにそれぞれ厚さ方向Ｚにおいて対向し、横方向Ｘへ延びる折曲部２５を介してポケット外側域２３と連なるとともに、折曲部２５から下方へ延びてウエスト当接域３１の中央部３２の内端部３２ａとつながるポケット内側域２２と、ポケット内外側域２２,２３の両側部から形成され、横方向Ｘの内側へ折り込まれたポケット両側域２４とによって画成される。ポケット内側域２２とウエスト当接域３１の中央部３２とがつながることによって、下方へ向かって折り曲げられた折曲部２７が形成される。ポケット内外側域２２,２３の両側部は、互いに重ね合されてポケット両側域２４を形成するとともに、ポケット両側域２４の横方向Ｘ外側の部分からなる両側固定部２６がウエスト当接域３１の両側部に固定される。両側固定部２６は、一対のファスナ部１６の固定部６１から横方向Ｘの内側へ延びており、そのため、ポケット２０はシャーシ１４の両側縁１４ｃ，１４ｄ間において開口する大きさを有するものではなく、少なくとも、後ウエスト域１２の中央部において開口する程度の大きさを有する。
【００２６】
ウエスト当接域３１は、後記のストリング状またはストランド状の後ウエスト弾性体４８によって少なくとも横方向Ｘへ弾性が付与されている。また、ポケット内側域２２には、横方向Ｘへ延びるストリング状又はストランド状のポケット弾性体７６が配置される。本実施形態において、ポケット弾性体７６は、両側固定部２６間において横方向Ｘへ延びている。
【００２７】
ポケット両側域２４は、横方向Ｘの内側へ（縦軸Ｐへ向かって）折り込まれている。図４を参照すると、おむつ１０の非着用状態における、折曲部２７とポケット両側域２４とがそれぞれ僅かに展開された状態において、中央部３２とポケット２０との間には、上方へ開口した凹部３４が画定される。ポケット両側域２４は、伸展可能に折り込まれる限りにおいて、意図せずに折曲された部分を含めて複数折曲されて、縦方向Ｙへ延びる折曲ラインが複数形成されていてもよい。ポケット２０は、吸収体５３の縦方向Ｙにおける延長線上に位置しており、ポケット弾性体７６の収縮作用によるポケット内側域２２の横方向Ｘの寸法とポケット外側域２３の横方向Ｘの寸法との相違と、ポケット両側域２４の吸収体５３の両側縁部５３ｃの延長部分における内方への折れ曲がりとによって、ポケット両側域２４は、横方向Ｘの内側へ（縦軸Ｐへ向かって）伸展可能に折り込まれた状態となる。
【００２８】
このように、ポケット２０は、下方向へ向かって折り曲げられた折曲部２７と、横方向Ｘの内側へ向かって折り込まれたポケット両側域２４と、ウエスト開口１９へ（上方向へ）向かって折り曲げられた折曲部２５とを有し、それらが互いに異なる方向（３方向）へ折曲されていることによって、ウエスト当接域３１がウエスト周り方向へ伸長されたときに、ポケット両側域２４が起立して、ポケット内側域２２がウエスト当接域３１の中央部３２から離間するように後方へ移動する（図５参照）。図６及び図７を参照すると、ポケット内側域２２は、中央部３２に対して傾斜して位置し、それが後方へ移動するほどに中央部３２に対する傾斜角度αは大きくなる。したがって、傾斜角度αが大きくなるほどに、ポケット内側域２２は倒伏した状態となってポケット２０の天面としての役割を果たし、ポケット２０はその内部に比較的に多くの排泄物を収容、保持することが可能なポケット空間（収容スペース）Ｓを有するボックス状を呈する。
【００２９】
＜ポケット形成パネル＞
図３，図８及び図９（ａ）を参照すると、ポケット形成パネル４０は、横方向Ｘへ延びる内端縁４０ａ及び外端縁（後ウエスト開口縁）４０ｂと、内外端縁４０ａ，４０ｂ間において縦方向Ｙへ延びる両側縁４０ｃとによって画定された横長矩形状であって、第１面７０Ａ（肌当接面）とその反対側に位置する第２面７０Ｂ（非肌当接面）と、横方向Ｘへ並行して延びる第１折曲線４１と第２折曲線４２とを有する。ポケット形成パネル４０は、外端縁４０ｂと第１折曲線４１との間に位置する外端部４３と、第１折曲線４１と第２折曲線４２との間に位置する中間部４４と、第２折曲線４２と内端縁４０ａとの間に位置する内端部４５とを有する。外端部４３の第２面７０Ｂ側には、横方向Ｘに対向して位置する一対の第１接合域７１Ａが位置し、それらの間には第１非接合域７１Ｂが位置する。中間部４４の第１面７０Ａ側には、横方向Ｘに対向して位置する一対の第２接合域７２Ａが位置し、それらの間には第２非接合域７２Ｂが位置する。
【００３０】
ポケット形成パネル４０は、肌当接面側に位置する内面シート４６と、非肌当接面側に位置する外面シート４７と、外端部４３に配置されて横方向Ｘへ延び、内外面シート４６，４７間において伸長状態で収縮可能に固定された複数条のストリング状又はストランド状の後ウエスト弾性体４８と、中間部４４に配置されて横方向Ｘへ延び、内外面シート４６，４７間において伸長状態で収縮可能に固定されたストリング状又はストランド状のポケット弾性体７６とを有する。内外面シート４６，４７間には、さらに不透液性シート７５が配置される。不透液性シート７５は、好ましくは通気性を有する、繊維不織布又はプラスチックフィルムから形成されたものであって、少なくとも内端部４５及び中間部４４に位置する。繊維不織布からなるポケット形成パネル４０のみでは、流動性の高い軟便を十分に保持することができず、その外面に滲出するおそれがあるところ、不透液性シート７５を配置することによって防漏性に優れ、かかる軟便の滲出を防ぐことができる。不透液性シート７５は、ポケット形成パネル４０においてポケット２０の形成領域に配置され、ポケット２０の開口の横方向Ｘの寸法（すなわち第２非接合域７２Ｂの横方向Ｘの寸法）よりも大きな横方向Ｘの寸法を有することが、体液の滲出をより効果的に防止するうえで好ましい。
【００３１】
図９（ｂ），（ｃ）を参照すると、ポケット形成パネル４０は、第１折曲線４１に沿って外端部４３の第２面７０Ｂ側と中間部４４の第２面７０Ｂ側とが互いに当接されるように折曲されるとともに、第２折曲線４２に沿って中間部４４の第１面７０Ａ側と内端部４５の第１面７０Ａ側とが互いに当接されるように折曲されることによって、縦断面において略Ｚ字状に折曲された状態が維持される。
【００３２】
外端部４３と中間部４４とは第１接合域７１Ａにおいて互いに接合され、中間部４４と内端部４５とは第２接合域７２Ａにおいて互いに接合される。第１接合域７１Ａと第２接合域７２Ａとは、それらの横方向Ｘの寸法がほぼ同等であって、それらの間に位置する非接合域７１Ｂ，７２Ｂの横方向Ｘの寸法もほぼ同等であり、第１及び第２非接合域７１Ｂ，７２Ｂは、おむつ１０の平面視において互いに重なって位置する。第１及び第２接合域７１Ａ，７２Ａは、例えば、ホットメルト接着剤等の公知の接着剤を塗布したり、ヒートシール等の公知の熱溶着手段によって形成される。
【００３３】
図９（ｄ）を参照すると、ポケット形成パネル４０は、外端部４３が後ウエスト弾性体４８によって収縮しており、第１及び第２折曲線４１，４２に沿って折り曲げられて第１及び第２接合域７１Ａ,７２Ａを介して接合された状態から、積層された中間部４４と内端部４５とを第２非接合域７２Ｂの側縁に沿って縦方向Ｙへ延びる一対の第３折曲線４９Ａと第４折曲線（山折り折曲線）４９Ｂとに沿ってさらに折り曲げられることによって、外端部４３を除く部分が断面略Ω状を有する。
【００３４】
図２，図６，図７及び図９を参照すると、断面略Ω状に折曲されたポケット形成パネル４０が、内端部４５の第２面７０Ｂ側に位置する接合域（第３接合域）７３を介して、シャーシ１４の肌当接面側に固定される。このようにポケット形成パネル４０が複数の折曲ラインによって折り畳まれた状態で固定されることによって、外端部４３によって後ウエスト域１２のウエスト当接域３１、中間部４４によってポケット内側域２２、内端部４５の中間部４４と対向する部分によってポケット外側域２３がそれぞれ形成される。また、第２接合域７２Ａを介してポケット内側域２２の両側部とポケット外側域２３の両側部とが互いに重なり合った状態で接合され、中間部４４の第２非接合域７２Ｂと、内端部４５の第２非接合域７２Ｂとによってポケット２０が形成される。
【００３５】
本実施形態においては、シャーシ１４に別体からなるポケット形成パネル４０を固定することによってポケット２０等を形成したが、本発明の技術的な効果を奏する限りにおいて、ポケット形成パネル４０は、シャーシ１４を構成するシート部材と一体のシートで形成してもよいし、シャーシ１４を構成するシート部材と同一のシート部材でウエスト当接域３１を形成し、ウエスト当接域３１に別体のシート部材を固定してポケット２０を形成してもよい。また、ポケット形成パネル４０を弾性伸縮性の１枚の繊維不織布シートから形成してもよいし、後ウエスト弾性体４８の代わりに弾性伸縮性の繊維不織布シートを内外面シート４６，４７間に配置してもよい。したがって、本明細書において、例えば、「ポケット内側域２２がウエスト当接域３１の中央部３２の内端部３２ａとつながる」とは、中央部３２とポケット内側域２２とが同一のシート部材によって形成されて折曲部２７において折曲されている場合と、それらが別体のシート部材から形成されて、折曲部２７において両シート部材が連結されている場合とを含む。
【００３６】
通常、比較的に低月齢の乳幼児は、授乳時や母親に抱きかかえられた体勢等の様々なシチュエーションで流動性のある軟便を排泄するので、後ウエスト開口から軟便が漏れたり、着用者の背面に軟便が押し付けられて汚れたりするおそれがある。特に、後ウエスト域１２においては、臀部が突出した外形を有することからかかる隙間が形成され難く、排泄物を一時的に収容、保持するためには、本実施形態に係るおむつ１０のように、着用状態において立体形状を呈するようなポケット空間Ｓを意図的に形成することが必要となる。
【００３７】
本実施形態においては、ウエスト当接域３１とポケット２０とが後ウエスト域１２のウエスト開口側に位置し、ウエスト当接域３１が後ウエスト弾性体４８の収縮力によって着用者の身体にフィットされるので、クロッチ域１３側から後ウエスト開口側へ移動した排泄物の漏れが防止されるとともに、移動が阻止された排泄物が上方へ凸状に延びるポケット空間Ｓに流入して、一時的に収容、保持される。このように、移動が阻止された排泄物を後ウエスト域１２の背面側に位置するポケット２０に進入させることによって、排泄物が身体に接触することによる不快感や肌トラブルを抑制することができる。ポケット２０は、ウエスト当接域３１の伸縮と直接的に連動するものではないから、後ウエスト域１２が伸長されてもポケット２０の開口が閉じたりするおそれはない。また、吸収体５３の後端縁部５３ｂは、ポケット２０と平面視において重なる位置にあることが好ましく、かかる構成により、吸収体５３で吸収されずに後ウエスト開口側へ移動した排泄物を確実にポケット２０内に収容することができる。また、不透液性シート７５によって、ポケット２０内に収容された排泄物を外観視において視認され難くすることができる。
【００３８】
おむつ１０の非着用状態においては、ポケット２０のポケット両側域２４が縦軸Ｐへ向かって断面略Ｖ字状に折り込まれた態様を有する一方、着用状態においては、ポケット両側域２４が起立してポケット内側域２２がウエスト当接域３１の中央部３２から離間してポケット空間Ｓが形成される。おむつ１０の非着用状態においては、ポケット両側域２４が折り込まれた態様を有してウエスト当接域３１の中央部３２とポケット内側域２２とが当接した状態となることによって、後ウエスト域１２全体がよりコンパクトになって、厚さ方向Ｚの寸法が着用状態に比べて小さくなるので、複数のおむつ１０の収納性及び運搬時の利便性に優れる。
【００３９】
また、着用者が仰臥状態であって、ポケット２０に着用者の体圧が掛かったときにおいても、ポケット両側域２４が折り込まれた態様を有してウエスト当接域３１の中央部３２とポケット内側域２２とが互いに当接した状態となるので、ポケット形成パネル４０が体圧によって歪に変形されたりして、後ウエスト域１２における部分的な厚みの変化によって生じる異物感を着用者に与えるおそれはない。ポケット両側域２４は、着用者の身体に接近離間する方向、すなわち、厚さ方向Ｚにおいて屈伸運動可能であるから、体圧から開放されたときに、ポケット両側域２４が身体から離間する方向Ｆ（図５参照）へ起立して、再び立体的なポケット空間Ｓが形成される。
【００４０】
特に、開放型の使い捨ておむつ１０では、おむつ１０の装着時に着用者が仰臥状態にあり、ポケット２０は着用者の体圧によって厚さ方向Ｚに押し潰された状態となる。本実施形態のおむつ１０では、ポケット２０に屈伸運動可能なポケット両側域２４を形成することにより、おむつ１０を装着した後、ポケット両側域２４が起立して安定的にポケット空間Ｓを形成することができる。このように、ポケット両側域２４の屈伸運動によってポケット２０が安定的に繰り返して立体形状を呈することができるので、頻繁に姿勢を変化させたり、頻度が高い軟便を繰り返す低月齢の乳幼児が着用する場合であっても、軟便を確実にポケット空間Ｓに収容することができる。また、既述のとおり、ポケット内側域２２は、所要の縦方向Ｙの寸法を有することから、ポケット両側域２４が起立することによって中央部３２に対して傾斜して後方へ移動し、ポケット２０の天面としての役割を果たし得るので、天面及びポケット両側域２４側の折曲構造を有しない態様に比して、より多くの排泄物を収容することができる。
【００４１】
さらに、後ウエスト域１２においてシャーシ１４の両側部には一対のファスナ部１６が取り付けられており、ファスナ部１６の固定部６１は、横方向Ｘにおいてポケット２０及びウエスト当接域３１と重なるようにポケット２０の横方向Ｘ外側に位置している。かかるおむつ１０では、ファスナ部１６の止着手段６３を前ウエスト域１１に係合した場合に、ウエスト当接域３１の伸縮にファスナ部１６が連動しやすくなり、ウエスト周り方向において前後ウエスト域１１，１２のフィット性が向上する。フィット性をより向上するために、固定部６１の少なくとも一部は、ポケット内外側域２２，２３の両側固定部２６（すなわち、ウエスト当接域３１と平面視において互いに重なる領域）と厚さ方向Ｚにおいて重なることが好ましい。図２を参照すると、ウエスト当接域３１は、横方向Ｘにおいて止着手段６３と重なって位置しているため、止着手段６３を係合した場合に、ウエスト当接域３１と身体との間に隙間が生じるのを抑制でき、ウエスト当接域３１から排泄物が漏れ出るのを防止して、ポケット２０の内部に排泄物を収容されるように誘導することができる。
【００４２】
また、ポケット内外側域２２，２３は、両側固定部２６においてウエスト当接域３１と固定されているため、ウエスト当接域３１の収縮に連動して立体形状を形成しやすい。着用状態において、ウエスト当接域３１が横方向Ｘへ伸長された場合でも、ポケット２０が立体形状を呈するためには、中央部３２を含めたウエスト当接域３１の横方向Ｘにおける収縮量（収縮した部分の横方向Ｘにおける長さ寸法）が、ポケット内側域２２及び／またはポケット外側域２３の横方向Ｘにおける収縮量よりも大きいことが好ましい。かかる場合には、例えば、ウエスト当接域３１が自然状態（収縮時）に比して横方向Ｘへ所定倍率伸長されたときであっても、ポケット両側域２４が完全に倒伏されず、ポケット２０は立体形状を維持することができる。
【００４３】
したがって、ウエスト当接域３１には、横方向Ｘへ伸縮可能な弾性体を配置する一方、ポケット内側域２２及び／又はポケット外側域２３には弾性体を配置せず、実質的に、弾性的に非伸縮とすることが好ましい。本実施形態のおむつ１０では、ポケット内側域２２に横方向Ｘへ伸縮可能なポケット弾性体７６を配置しており、ポケット弾性体７６は、中央部３２に配置する後ウエスト弾性体４８よりも収縮率が低い。このようにポケット内側域２２に横方向Ｘへ伸長可能なポケット弾性体７６を配置した場合には、中央部３２が伸長されてポケット両側域２４にそれを倒伏させようとする力が作用するときに、該弾性体がその力に抗してポケット両側域２４の起立状態及び中央部３２からポケット内側域２２が離間した状態を維持するので、ポケット２０がより安定的に立体形状を呈することができる。さらに、ポケット内外側域２２,２３がともに弾性伸縮性を有する場合には、ポケット２０を安定的に形成するために、ポケット内側域２２の横方向Ｘにおける収縮率がポケット外側域２３の横方向Ｘにおける収縮率よりも高いことが好ましい。
【００４４】
本実施形態のおむつ１０では、シャーシ１４とポケット形成パネル４０との接合域７３において、シャーシ１４が弾性的に非伸縮であり、ポケット２０と厚さ方向Ｚにおいて重なる領域において、ウエスト当接域３１の収縮率が接合域７３の収縮率よりも高くなっている。そのため、ポケット両側域２４が倒伏されずにポケット２０は立体形状を維持しやすい。さらに、接合域７３を介してポケット形成パネル４０の内端部４５に接合されるシャーシ１４の剛性により、ポケット外側域２３は比較的に高い剛性を有し、歪な変形が抑制され、ポケット空間Ｓを安定的に形成することができる。なお、かかる効果をより向上させるために、ポケット内側域２２及びポケット外側域２３のうち、少なくとも一方の領域に、シート状の剛性付与部材（図示せず）を配置してもよい。剛性付与部材としては、例えば、ウレタンフォーム等の反撥性を有する部材を用いることが好ましい。
【００４５】
なお、図示していないが、後ウエスト域１２に位置する吸収体５３に縦方向Ｙに延びる一以上の変形誘導部を形成してもよい。変形誘導部は、吸収体５３を臀部形状にそって湾曲させるためのものであり、例えば、吸収体５３における芯材の単位面積当たりの質量を変形誘導部の非配置領域に比して低くすることによって形成することができる。このような変形誘導部を形成することにより、よりポケット２０の開口を拡げて、立体的で排泄物を収容し易いポケット空間Ｓを形成することができる。
【００４６】
また、ウエスト当接域（後ウエスト弾性域）３１の横方向Ｘにおける収縮率は、前ウエスト弾性域８５の横方向Ｘにおける収縮率よりも高いことが好ましい。このような収縮率の設定は、例えば、前ウエスト弾性域８５に配置する弾性体の収縮率をウエスト当接域３１に配置する弾性体の収縮率よりも低くする等によって調整することができる。前ウエスト弾性域８５は、着用状態の前後方向においてウエスト当接域３１と対向し、ファスナ部１６の止着手段６３が係合可能であって、横方向Ｘに弾性的に伸縮可能なターゲット域を形成する。かかるおむつ１０では、着用状態において止着手段６３をターゲット域に係合した場合にフィット性が向上するとともに、ウエスト周り方向において、前ウエスト弾性域８５に比してウエスト当接域３１の収縮力が高くなるため、ポケット２０の開口が開きやすく、ポケット空間Ｓを安定的に形成することができる。なお、このような伸縮性のターゲット域は、前ウエスト弾性体５９に代えて、前ウエスト域１１に横方向Ｘに弾性的に伸縮可能であってループ要素を有するシート部材を配置することによって形成してもよい。
【００４７】
＜各領域の収縮率の測定方法＞
まず、おむつ１０の展開状態において、ポケット内側域２２と平面視において互いに重なるポケット外側域２３とウエスト当接域３１との積層領域（図２の破線Ｋで囲んだポケットの配置領域）を所定幅の大きさ（例えば、縦寸法１５ｍｍ×横寸法１００ｍｍ）で切り出してそれぞれサンプルとして、以下の手順により、各サンプルの寸法を測定した。ｉ）各サンプルの横方向Ｘにおいて対向する両端部のうちの一方端部を把持し、ｉｉ）他方端部にクリップと錘を取り付けて、各サンプルが捩じれることなく床面に対して垂直となるように吊持した。かかる状態において、弾性要素（弾性要素がない場合にはシートの所定箇所）の配置領域において横方向Ｘに離間対向する２カ所の部分にインク等でマークを付し、該マーク間の離間寸法を測定して、それを各サンプルの収縮時の寸法（Ｌ１）とした。なお、錘の重さは、各サンプルに配置された弾性要素が伸長されない程度のものであれば調整することが可能であって、本測定では、約５.０ｇの錘を用いた。ｉｉｉ）次に、各サンプルからクリップと錘を外して、表面に弾性要素によるギャザーがなくなるまで横方向Ｘへ伸長させた後、２カ所のマークの離間寸法を測定して、伸長時の寸法（Ｌ２）とした。かかる測定方法によって測定した寸法Ｌ１，Ｌ２を収縮率＝（（Ｌ２−Ｌ１）／Ｌ２）×１００（％）の算式に当てはめて各サンプルの収縮率（％）を算出した。なお、前ウエスト弾性域８５の収縮率は、着用状態における前後方向においてウエスト当接域３１と重なる領域（着用状態の前後方向において図２の破線Ｋで囲んだ領域と重なる領域）を所定幅の大きさで切り出してサンプルとした。
【００４８】
図２を参照すると、ポケット２０を形成するポケット形成パネル４０は、レッグ弾性体５７及びカフ弾性体５８よりも縦方向Ｙの外側に位置して、それらとおむつ１０の平面視において互いに重なっていない。したがって、レッグ弾性体５７やカフ弾性体５８の収縮力が間接的にポケット外側域２３に作用してそれを下方へ引っ張ろうとする力が働いたとしても、ポケット外側域２３が下方へ引っ張られることによって折曲部２５が崩れてポケット空間Ｓが消滅するおそれはない。
【００４９】
図６を参照すると、既述のとおり、ポケット２０を形成するポケット形成パネル４０は、おむつ１０の外形を形成するシャーシ１４とは別体のシート部材であり、シャーシ１４は、平面視においてポケット２０と互いに重なる部位において、弾性的に非伸縮であるポケット外側域２３と互いに接合されているため、ウエスト当接域３１の中央部３２は、シャーシ１４の剛性によってその伸縮性が低下することがなく、フィット性に優れている。また、縦断面において略Ｚ字状に折曲されたポケット形成パネル４０をシャーシ１４と別部材とすることで、おむつ１０の製造時にシャーシ１４を構成するシート部材を縦方向Ｙに搬送する、いわゆる「縦流し製法」によって、おむつ１０を連続的に生産することができ、生産性に優れる。縦流し製法による連続生産性を高めるために、ポケット形成パネル４０は、シャーシ１４の後端縁１４ｂの縦方向Ｙ内側に位置する、すなわち、ポケット形成パネル４０の外端縁４０ｂ及びポケット２０の折曲部２５がシャーシ１４の後端縁１４ｂの縦方向Ｙ内側に位置することが好ましい。かかるおむつ１０では、折曲されたポケット形成パネル４０が外観視においてシャーシ１４に覆われているため、美観に優れている。
【００５０】
図５及び図９を参照すると、中央部３２とポケット２０とがポケット形成パネル４０から形成され、それらを形成するシート部材の横方向Ｘの寸法が同一であるといえることから、中央部３２が後ウエスト弾性体４８の影響で収縮することによって、ポケット内側域２２に弾性体が配置されていなくても、折曲部２７においてその内端部３２ａと連なるポケット内側域２２の横方向Ｘの寸法が縮められる。それによって、ポケット内側域２２には、縦方向Ｙへ延びる複数のギャザー（畝）７８が形成される。このように、縦方向Ｙへ延びる複数のギャザー７８が形成されることによって、それらがリブのように機能して、ポケット内側域２２の横方向Ｘ及び縦方向Ｙにおける剛性が向上し、ポケット２０は、安定的にボックス状の立体形状を形成することができる。図示していないが、前ウエスト域１１においても、尿を一時的に収容保持するために、後ウエスト域１２と同様に下方へ開口可能なポケットを配置してもよい。
【００５１】
本発明のおむつ１０を構成する各構成材料には、特に記述がなされている場合を除き、この種の分野において通常用いられている、各種の公知の材料を制限なく用いることができる。なお、本実施形態では、前ウエスト域１１に前ウエスト弾性体５９を配置しているが、前ウエスト域１１において横方向Ｘに伸縮可能な弾性体を配置しない構成であってもよい。また、本明細書において使用されている「第１」、「第２」等の用語は、同様の要素、位置等を単に区別するために用いてある。
【００５２】
以上に記載した本発明に関する開示は、少なくとも下記事項に整理することができる。
本願の第１発明は、縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット内側域及び前記ポケット外側域のそれぞれは、前記ポケットの開口の前記横方向の両側において前記ウエスト当接域に固定される両側固定部を有し、少なくとも前記ポケット内側域及び前記ポケット外側域の一方は、弾性的に伸縮可能であり、前記ウエスト当接域の前記横方向における収縮率が、前記ポケット内側域及び前記ポケット外側域のそれぞれの前記横方向における収縮率よりも高い。
本願の第２発明は、縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット内側域及び前記ポケット外側域のそれぞれは、前記ポケットの開口の前記横方向の両側において前記ウエスト当接域に固定される両側固定部を有し、前記第１及び第２ウエスト域と前記クロッチ域とはシャーシによって形成され、前記ウエスト当接域及び前記ポケット内外側域は、前記シャーシに接合されたポケット形成パネルによって形成される。
【００５３】
上記段落００５２に開示した本発明に係る使い捨て着用物品は、少なくとも下記の実施の形態を含むことができる。
（１）前記ポケットは、前記ポケット内側域の両側部及び前記ポケット外側域の両側部から形成され、かつ、前記横方向の内側へ折り込まれたポケット両側域をさらに有する。
（２）前記クロッチ域から前記第１及び第２ウエスト域へ延びる吸収体をさらに含み、前記ポケットは、前記吸収体の前記縦方向における延長線上に位置する。
（３）前記ウエスト当接域は、前記横方向へ弾性的に伸縮可能である。
（４）前記ウエスト当接域は、前記一対のファスナ部の止着手段の間であって、前記横方向において、前記止着手段と重なって位置する。
（５）前記両測固定部は、前記横方向において前記ファスナ部と重なって位置する。
（６）前記ポケット形成パネルは、前記シャーシの前記縦方向における端縁の内側に位置する。
（７）前記シャーシは、前記ポケットが接合される接合域を有し、前記ウエスト当接域の前記横方向における収縮率は、前記接合域の前記横方向における収縮率よりも高い。
（８）前記第２ウエスト域は、前記ファスナ部が係脱可能であって前記横方向に弾性的に伸縮可能なターゲット域を有し、前記ウエスト当接域の前記横方向における収縮率は、前記ターゲット域の前記横方向における収縮率よりも高い。
【符号の説明】
【００５４】
１０  使い捨ておむつ
１１  前ウエスト域
１２  後ウエスト域
１３  クロッチ域
１４  シャーシ
１６  ファスナ部
２０  ポケット
２２  ポケット内側域
２３  ポケット外側域
２４  ポケット両側域
２５  折曲部
２６  ポケットの両側固定部
３１  ウエスト当接域
３２  ウエスト当接域の中央部
４０  ポケット形成パネル
５３  吸収体
６３  止着手段
Ｘ  横方向
Ｙ  縦方向
【図１】
2019084414.tif 000003
【図２】
2019084414.tif 000004
【図３】
2019084414.tif 000005
【図４】
2019084414.tif 000006
【図５】
2019084414.tif 000007
【図６】
2019084414.tif 000008
【図７】
2019084414.tif 000009
【図８】
2019084414.tif 000010
【図９】
2019084414.tif 000011
【図１０】
2019084414.tif 000012
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、
前記第１及び第２ウエスト域と前記クロッチ域とを形成するシャーシをさらに有し、
前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、
前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、
前記ポケット外側域は前記シャーシを構成するシート部材と一体のシートで形成されていて、少なくとも前記ポケット内側域及び前記ポケット外側域の一方は、弾性的に伸縮可能であり、前記ウエスト当接域の前記横方向における収縮率が、前記ポケット内側域及び前記ポケット外側域のそれぞれの前記横方向における収縮率よりも高いことを特徴とする前記着用物品。
【請求項２】
縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、
前記第１及び第２ウエスト域と前記クロッチ域とを形成するシャーシをさらに有し、
前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、
前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、
前記ポケット外側域は前記シャーシを構成するシート部材と一体のシートで形成されていて、
着用状態において、前記ウエスト当接域と前記ポケット内側域とが前後方向に離間するとともに、前記ポケットの上端が前記ウエスト当接域の上端よりも下方に位置して、前記ウエスト当接域の背面が外部に露出されることを特徴とする前記着用物品。
【請求項３】
前記ポケット内外側域のうちの少なくとも前記ポケット内側域には、不透液性シートが配置されている請求項１又は２に記載の着用物品。
【請求項４】
前記クロッチ域から前記第１及び第２ウエスト域へ延びる吸収体をさらに含み、前記ポケットは、前記吸収体の前記縦方向における延長線上に位置する請求項１〜３のいずれかに記載の着用物品。
【請求項５】
前記ウエスト当接域は、前記横方向へ弾性的に伸縮可能である請求項１〜４のいずれかに記載の着用物品。
【請求項６】
前記ウエスト当接域は、前記一対のファスナ部の止着手段の間であって、前記横方向において前記止着手段と重なって位置する請求項１〜５のいずれかに記載の着用物品。
【手続補正２】
【補正対象書類名】明細書
【補正対象項目名】０００８
【補正方法】変更
【補正の内容】
【０００８】
本願の第１発明は、前記第１及び第２ウエスト域と前記クロッチ域とを形成するシャーシをさらに有し、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット外側域は前記シャーシを構成するシート部材と一体のシートで形成されていて、少なくとも前記ポケット内側域及び前記ポケット外側域の一方は、弾性的に伸縮可能であり、前記ウエスト当接域の前記横方向における収縮率が、前記ポケット内側域及び前記ポケット外側域のそれぞれの前記横方向における収縮率よりも高いことを特徴とする。
本願の第２発明は、前記第１及び第２ウエスト域と前記クロッチ域とを形成するシャーシをさらに有し、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット外側域は前記シャーシを構成するシート部材と一体のシートで形成されていて、着用状態において、前記ウエスト当接域と前記ポケット内側域とが前後方向に離間するとともに、前記ポケットの上端が前記ウエスト当接域の上端よりも下方に位置して、前記ウエスト当接域の背面が外部に露出されることを特徴とする。
【手続補正３】
【補正対象書類名】明細書
【補正対象項目名】００５２
【補正方法】変更
【補正の内容】
【００５２】
以上に記載した本発明に関する開示は、少なくとも下記事項に整理することができる。
本願の第１発明は、縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、前記第１及び第２ウエスト域と前記クロッチ域とを形成するシャーシをさらに有し、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット外側域は前記シャーシを構成するシート部材と一体のシートで形成されていて、少なくとも前記ポケット内側域及び前記ポケット外側域の一方は、弾性的に伸縮可能であり、前記ウエスト当接域の前記横方向における収縮率が、前記ポケット内側域及び前記ポケット外側域のそれぞれの前記横方向における収縮率よりも高い。
本願の第２発明は、縦方向及び横方向を有し、前後ウエスト域の一方である第１ウエスト域と、前記前後ウエスト域の他方である第２ウエスト域と、前記第１及び第２ウエスト域間に位置するクロッチ域と、前記第１ウエスト域の両側部に取り付けられ、前記第１ウエスト域と前記第２ウエスト域とを係脱可能に係止する一対のファスナ部とを含む開放型の使い捨て着用物品において、前記第１及び第２ウエスト域と前記クロッチ域とを形成するシャーシをさらに有し、前記第１ウエスト域は、肌当接面側に位置して前記横方向へ延びるウエスト当接域と、前記横方向における中央部において前記ウエスト当接域と厚さ方向において対向し、前記肌当接面側に位置して前記クロッチ域側へ開口可能なポケットとを有し、前記ポケットは、前記クロッチ域側からウエスト開口側へ延びるポケット外側域と、前記ポケット外側域と前記ウエスト当接域とにそれぞれ前記厚さ方向において対向し、前記横方向へ延びる折曲部を介して前記ポケット外側域と連なるとともに、前記折曲部から前記クロッチ域側へ延びて前記ウエスト当接域とつながるポケット内側域とを有し、前記ポケット外側域は前記シャーシを構成するシート部材と一体のシートで形成されていて、着用状態において、前記ウエスト当接域と前記ポケット内側域とが前後方向に離間するとともに、前記ポケットの上端が前記ウエスト当接域の上端よりも下方に位置して、前記ウエスト当接域の背面が外部に露出される。
【手続補正４】
【補正対象書類名】明細書
【補正対象項目名】００５３
【補正方法】変更
【補正の内容】
【００５３】
上記段落００５２に開示した本発明に係る使い捨て着用物品は、少なくとも下記の実施の形態を含むことができる。
（１）前記ポケット内外側域のうちの少なくとも前記ポケット内側域には、不透液性シートが配置されている。
（２）前記クロッチ域から前記第１及び第２ウエスト域へ延びる吸収体をさらに含み、前記ポケットは、前記吸収体の前記縦方向における延長線上に位置する。
（３）前記ウエスト当接域は、前記横方向へ弾性的に伸縮可能である。
（４）前記ウエスト当接域は、前記一対のファスナ部の止着手段の間であって、前記横方向において、前記止着手段と重なって位置する。